(57)【要約】      （修正有）【課題】簡単な操作により、高さを二段階に切り換えて使用できると共に、安定して設置でき、収納もコンパクトに行うことができるテーブルを提供する。【解決手段】連結枠１０が、第１天板支持枠６及び第２天板支持枠７の中央から該連結枠１０の厚み以上の長さに偏った位置に配置されると共に、第１天板支持枠６と平行に延びて延出端の端面１１ａが第１天板支持枠６の端面６ａと同一面に設定される第１連結片部１１と、第２天板支持枠７と平行に延びて第１連結片１１と交差し延出端の端面が第２天板支持枠７の端面と同一面に設定される第２連結片部１２とを設けてなることを特徴とする。【選択図】図１
0003159556.tif 000002
【実用新案登録請求の範囲】
【請求項１】
天板２と、この天板２裏面に着脱可能に取り付けられた一対の支持脚３が互いに直交する長さの異なる第１および第２の天板支持面４、５を形成し延出端がそれぞれ左右２個所の端面６ａ、７ａとなる第１天板支持枠６および第２天板支持枠７と、上記第１天板支持枠６および第２天板支持枠７のそれぞれに対して直交する状態で、それぞれに連結されている連結枠１０とからなる二段階高さ変更テーブルにおいて、
前記連結枠１０が、第１天板支持枠６及び第２天板支持枠７の中央から該連結枠１０の厚み以上の長さに偏った位置に配置されると共に、前記第１天板支持枠６と平行に延びて延出端の端面１１ａが第１天板支持枠６の端面６ａと同一面に設定される第１連結片部１１と、前記第２天板支持枠７と平行に延びて前記第１連結片１１と交差し延出端の端面１２ａが第２天板支持枠７の端面７ａと同一面に設定される第２連結片部１２とを設け、
使用時に、第１天板支持枠６の２個所の端面６ａと第１連結片部１１の端面１１ａの３個所で設置し、又は第２天板支持枠７の２個所の端面７ａと第２連結片部１２の端面１２ａの３個所で設置しうることを特徴とする二段階高さ変更テーブル。
【請求項２】
第１天板支持枠６又は第２天板支持枠７が、
左右一対の脚柱部６１又は７１と、該脚柱部６１又は７１の中途位置で脚柱部６１又は７１間に掛け渡されて連結する横架片部６２又は７２とからなっており、
第１天板支持枠６の横架片部６２に第１連結片得１１が連結され、又は第２天板支持枠７の横架片部７２に第２連結片部１２が連結されてなることを特徴とする請求項１に記載の二段階高さ変更テーブル。
【請求項３】
横架片部６２又は７２が、左右一対の脚柱部６１又は７１の下端に連結された脚台８からなり、該脚台８から垂下する左右一対の脚部９の端面を第１天板支持枠６又は第２天板支持枠７の端面６ａ又は７ａとしたことを特徴とする請求項２に記載の二段階高さ変更テーブル。
【請求項４】
第１天板支持枠の端面６ａ、第２天板支持枠の端面７ａ、第１連結片部の端面１１ａ、及び第２連結片部の端面１２ａの全部又は一部に高さを微調整する高さ調整部材が設けられていることを特徴とする請求項１に記載の二段階高さ変更テーブル。
【考案の詳細な説明】
【技術分野】
【０００１】
本考案は、簡単な操作により、高さを二段階に切り換えて使用可能なテーブルの改良に関するものである。
【背景技術】
【０００２】
高さ調整可能なテーブルとしては、伸縮可能な支持脚を備えたもの、折り畳み可能な支持脚を備えたもの等が知られているが構造が複雑となり、操作も煩雑となりやすい。
そこで、特開２００１−１１２５４５号のテーブルでは、
天板と、この天板裏面に着脱可能に取り付けられた一対の支持脚とを有するテーブルにおいて、前記支持脚は、互いに直交する長さの異なる第１および第２の天板支持面を規定している第１および第２の天板支持枠と、これら第１および第２の天板支持枠の双方に対して直交する状態で、それぞれに連結されている連結枠と、前記第１の天板支持枠の先端面および前記連結枠の側面によって規定されているＴ字状の第２の床接触面と、前記第２の天板支持枠の先端面および前記連結枠の別の側面によって規定されているＴ字状の第１の床接触面とを有しているテーブルが提案されている。
これにより、テーブル高さを、通常のテーブルの高さと、座卓の高さの二段階に切り換えることができ、高さ切り換え作業は支持脚３の向きを９０度変更して側面が上面となるように姿勢を変えるのみでよいため前記欠点を解消することができる、
しかし、前記構成では、Ｔ字状の第２の床接触面とＴ字状の第１の床接触面とを設ける必要があるため、テーブルと設置面とは面接触となるので接触面は水平面でないとテーブルにがたつきが生じる虞があった。
また、収納時には、第２の床接触面と第１の床接触面とがあるためコンパクトに収納することができないという問題点があった。
【先行技術文献】
【特許文献】
【０００３】
【特許文献１】特開２００１−１１２５４５号公報
【考案の概要】
【考案が解決しようとする課題】
【０００４】
この考案は上記事情に鑑みて創案されたものであって、その主たる課題は、設置面が水平面でなくてもがたつきを抑えることができ、収納時にもコンパクトに収納することができる二段階高さ変更テーブルを提供することにある。
【課題を解決するための手段】
【０００５】
この考案は上記課題を解決するために、請求項１の考案では、
天板２と、この天板２裏面に着脱可能に取り付けられた一対の支持脚３とからなり、該支持脚３が互いに直交する長さの異なる第１および第２の天板支持面４、５を形成し延出端がそれぞれ左右２個所の端面６ａ、７ａとなる第１天板支持枠６および第２天板支持枠７と、上記第１天板支持枠６および第２天板支持枠７のそれぞれに対して直交する状態で、それぞれに連結されている連結枠１０とからなる二段階高さ変更テーブルにおいて、
前記連結枠１０が、第１天板支持枠６及び第２天板支持枠７の中央から該連結枠１０の厚み以上の長さに偏った位置に配置されると共に、前記第１天板支持枠６と平行に延びて延出端の端面１１ａが第１天板支持枠６の端面６ａと同一面に設定される第１連結片部１１と、前記第２天板支持枠７と平行に延びて前記第１連結片１１と交差し延出端の端面１２ａが第２天板支持枠７の端面７ａと同一面に設定される第２連結片部１２とを設け、
使用時に、第１天板支持枠６の２個所の端面６ａと第１連結片部１１の端面１１ａの３個所で設置し、又は第２天板支持枠７の２個所の端面７ａと第２連結片部１２の端面１２ａの３個所で設置しうることを特徴とする。
【０００６】
また、請求項２の考案では、
前記第１天板支持枠６又は第２天板支持枠７が、
左右一対の脚柱部６１又は７１と、該脚柱部６１又は７１の中途位置で脚柱部６１又は７１間に掛け渡されて連結する横架片部６２又は７２とからなっており、
第１天板支持枠６の横架片部６２に第１連結片得１１が連結され、又は第２天板支持枠７の横架片部７２に第２連結片部１２が連結されてなることを特徴とする。
また、請求項３の考案では、
前記横架片部６２又は７２が、左右一対の脚柱部６１又は７１の下端に連結された脚台８からなり、該脚台８から垂下する左右一対の脚部９の端面を第１天板支持枠６又は第２天板支持枠７の端面６ａ又は７ａとしたことを特徴とする。
更に、請求項４の発明では、
前記第１天板支持枠の端面６ａ、第２天板支持枠の端面７ａ、第１連結片部の端面１１ａ、及び第２連結片部の端面１２ａの全部又は一部に高さを微調整する高さ調整部材が設けられていることを特徴とする。
【考案の効果】
【０００７】
本考案の二段階高さ変更テーブルは、支持脚の設置面を分離した３個所にして、設置面に凹凸面があってもこれを避けて設置することができ、また各端面の高さを調整することで支持脚を容易に安定しうる。
また、連結枠の位置を支持脚の中央位置から一方へずらしたので、収納時に一方の支持脚に対して他方の支持脚を９０度回転させ連結枠を内側にして双方を嵌め込むことでコンパクトに収納することができる。
【図面の簡単な説明】
【０００８】
【図１】図１は実施例１の支持脚を高位置にしたテーブルの側面図である。
【図２】図２は支持脚を９０度回転して低位置にしたテーブルの側面図である。
【図３】図３は支持脚の斜視図である。
【図４】図４は支持脚の側面図であり、別の支持脚を収納する場合を点線で示した説明図である。
【図５】図５は一対の支持脚をコンパクトに収納した状態の斜視図である。
【図６】図６は実施例２の支持脚を示す斜視図である。
【図７】図７は端面に高さ調整部材を設けた側面図である。
【考案を実施するための形態】
【０００９】
この発明は、支持脚の設置個所を点状の３個所として設置面を連続させず分離して狭め、且つ、一対の支持脚を収納する際に連結枠が左右にずれて衝合せずコンパクトに収納することができるようにした。
以下に、この発明の好適な実施例について図面を参照しながら説明する。
【実施例１】
【００１０】
［テーブル］
図１から図５に示す実施例１の二段階高さ変更テーブル１は、天板２と、この天板２裏面に着脱可能に取り付けられて起立姿勢を９０度変化させることで高低二段階に変化する一対の支持脚３とからなっており、該一対の支持脚３は同一形状からなっている。
【００１１】
［支持脚］
支持脚３は、天板２を高位置で支持する第１の天板支持面４の脚柱として使用する際に高位置となる第１天板支持枠６と、天板を低位置で支持する第２の天板支持面５の脚柱として使用する際に低位置となる第２天板支持枠７とを有している(図１及び図２参照）。
【００１２】
［長手脚柱部、短手脚柱部］
本実施例の場合、第１天板支持枠６は、図３に詳細に示すように、左右一対の長手脚柱部６１を有しており、該長手脚柱部６１を脚柱として使用する際にその端面６ａが設置面となる。
同様に第２天板支持枠７は、左右一対の短手脚柱部７１を有しており、該短手脚柱部７１を脚柱として使用する際にその端面７ａが設置面となる。
【００１３】
本実施例では、長手脚柱部６１が６８０ｍｍであり、短手脚柱部７１が３１０ｍｍであり、長手脚柱部６１間および短手脚柱部７１間の横幅は６００ｍｍに設定してあるが、この考案では長手脚柱部６１が短手脚柱部７１より長ければよく、上記数値に限定されないこと勿論である。
そして長手脚柱部６１と短手脚柱部７１の基端側は直角となるように連結されてコーナー部となっており、該コーナー部間にはコーナー横架片部２０を掛け渡して一体に連結している。
【００１４】
［天板支持面］
該コーナー横架片部２０は、図示例の場合、外側に表れる壁面の一方２０ａが長手脚柱部６１を含む第２の天板支持面５と同一面に設定されており、その壁面の他方２０ｂが短手脚柱部７１を含む第１の天板支持面４と同一面に設定されている。
【００１５】
従って、支持脚３を高位置用に使用する場合には、第１天板支持枠６の脚柱部６１を設置面に垂直に立て、第２天板支持枠７の表面（上面となる短手脚柱部７１とコーナー横架片部２０の他方の面２０ｂで形成される同一面）を第１の天板支持面４とする（図１参照）。
【００１６】
また、支持脚３を低位置用に使用する場合には、第２天板支持枠７の脚柱部７１を設置面に垂直に立て、第１天板支持枠６の表面（上面となる長手脚柱部６１とコーナー横架片部２０の一方の面２０ａで形成される同一面）を第２の天板支持面４とする(図２参照）。
【００１７】
前記第１天板支持枠６の脚柱部６１の設置方向先端寄り中途位置には、左右一対の脚柱部６１間を横架する横架片部６２が固着されており、これらによって第１天板支持枠６が形成されている。
同様に、前記第２天板支持枠７の脚柱部７１の先端（設置方向）寄り中途位置には、左右一対の脚柱部７１間を横架する横架片部７２が固着されており、これらによって第２天板支持枠７が形成されている。
【００１８】
［連結枠］
そして、前記第１天板支持枠６の横架片部６２と第２天板支持枠７の横架片部７２との間に連結枠１０が形成される。
該連結枠１０は、第１天板支持枠６及び第２天板支持枠７の中央ではなく、中央から該連結枠１０の厚み以上の長さで一方に偏った位置に配置される。
【００１９】
連結枠１０は、前記第１天板支持枠６の脚柱部６１と平行に延びる第１連結片部１１と、前記第２天板支持枠７と平行に延びて前記第１連結片１１と交差して下方へ延びる第２連結片部１２とからなっている。
そして、第１連結片部１１の延出端の端面１１ａが、第１天板支持枠６の端面６ａと同一面に設定され、第２連結片部１２の端面１２ａが第２天板支持枠７の端面７ａと同一面に設定される。
【００２０】
これにより支持脚３を高位置で使用する場合には、前記第１天板支持枠６の脚柱部６１の２個所の端面６ａと、第１連結片部１１の端面１１ａの３個所を設置面として使用する。
また、支持脚３を低位置で使用する場合には、前記第２天板支持枠７の脚柱部７１の２個所の端面７ａと、第２連結片部１２の端面１２ａの３個所を設置面として使用する。
【００２１】
これによって、設置面との接触面が、従来の面接触に対して３点接触となるので、設置面に凹凸があってもその凹凸を避けることができる。
また端面６ａ、７ａ、１１ａ、１２ａの全部又は一部にネジ込み式の高さ調整ベースや、先端のキャップ内に内蔵した増減可能なシムなどの高さを微調整する高さ調整部材３０を装着しておけば、容易に高さの微調整を行うことができ、これにより３個所の高さが同一面になるようにして容易に設置することができる(図７参照）。
【００２２】
また、収納に際しては、図４及び図５に示すように、一方の支持脚３に対して他方の支持脚３’（説明の便宜上符号に’を付する）を１８０度回転し向かい合うように収納することで、一方の支持脚３の第１脚柱部６１の下端側面に直角に接すると共に第２脚柱部７１と平行に他方の支持脚３’の第２脚柱部７１’を配し、一方の支持脚３の第２脚柱部７１の先端面に直角に接すると共に第１脚柱部６１と平行に他方の支持脚３’の第１脚柱部６１’を配し、連結枠１０及び１０’はそれぞれ左右にずれて内側に入り込んで、コンパクトに収納することができる。
【実施例２】
【００２３】
上記実施例では、第１天板支持枠６と第２天板支持枠７が、同様の形状の脚柱部と横架片部とからなる例を示したが、両者は異なる形状であってもよい。
図６に示す支持脚３は、図示例では、第２天板支持枠７の横架片部７２が、脚柱部７１の下端に連結された脚台８からなっており、該脚台８から垂下する左右一対の脚部９の端面を第２天板支持枠７の端面７ａとした構成からなっている。
【００２４】
第１天板支持枠６は、前記実施例１と同様の構成からなっているので、同一構成には同一符号を付してその説明を省略する。
また連結枠１０は、第１連結片部１１が前記脚台８に連結され、第２連結片部１２は第１横架片部６２に連結されている。
その他の構成は前記実施例と同様であるので、その説明を省略する。
この場合、脚柱部７１は２つに限らず１つでも３つ以上であってもよい。
また脚部９間の間隔は、第１天板支持枠６の第１脚柱部６１間の間隔と同一に設定したが、異なってもよい。
【００２５】
上記実施例では第１天板支持枠を高位置用（長手側）とし、第２天板支持枠を低位置用（短手側）としたが、逆であってもよい。
また、支持脚の素材は木製、金属製、樹脂製や、これらの異素材の組合せでもよく、特に限定されない。
また、支持脚と天板との連結は、単なる載置に限らず、係合手段を天板または支持脚に設けて連結する構造、一対の公知の係合手段の一方を天板に設け、他方を支持脚に設けて連結する構成など、適宜の着脱構造を用いることができる。
その他、要するにこの考案の要旨を変更しない範囲で種々設計変更しうること勿論である。
【符号の説明】
【００２６】
１    テーブル
２    天板
３    支持脚
４    第１の天板支持面
５    第２の天板支持面
６    第１天板支持枠
６ａ  端面
７    第２天板支持枠
７ａ  端面
８    脚台
９    脚部
１０    連結枠
１１    第１連結片部
１１ａ  端面
１２    第２連結片部
１２ａ  端面
２０    コーナ横架片部
３０    高さ調整部材
６１、７１  脚柱部
６２、７２  横架片部
【図１】
0003159556.tif 000003
【図２】
0003159556.tif 000004
【図３】
0003159556.tif 000005
【図４】
0003159556.tif 000006
【図５】
0003159556.tif 000007
【図６】
0003159556.tif 000008
【図７】
0003159556.tif 000009
【手続補正書】
【提出日】平成22年3月12日(2010.3.12)
【手続補正１】
【補正対象書類名】実用新案登録請求の範囲
【補正対象項目名】請求項１
【補正方法】変更
【補正の内容】
【請求項１】
天板２と、この天板２裏面に着脱可能に取り付けられた一対の支持脚３が互いに直交する長さの異なる第１および第２の天板支持面４、５を形成し延出端がそれぞれ左右２個所の端面６ａ、７ａとなる第１天板支持枠６および第２天板支持枠７と、上記第１天板支持枠６および第２天板支持枠７のそれぞれに対して直交する状態で、それぞれに連結されている連結枠１０とからなる二段階高さ変更テーブルにおいて、
前記連結枠１０が、第１天板支持枠６及び第２天板支持枠７の中央から該連結枠１０の厚み以上の長さに偏った位置に配置されると共に、前記第１天板支持枠６と平行に延びて延出端の端面１１ａが第１天板支持枠６の端面６ａと同一面に設定される第１連結片部１１と、前記第２天板支持枠７と平行に延びて前記第１連結片部１１と交差し延出端の端面１２ａが第２天板支持枠７の端面７ａと同一面に設定される第２連結片部１２とを設け、
使用時に、第１天板支持枠６の２個所の端面６ａと第１連結片部１１の端面１１ａの３個所で設置し、又は第２天板支持枠７の２個所の端面７ａと第２連結片部１２の端面１２ａの３個所で設置しうることを特徴とする二段階高さ変更テーブル。
【手続補正２】
【補正対象書類名】実用新案登録請求の範囲
【補正対象項目名】請求項２
【補正方法】変更
【補正の内容】
【請求項２】
第１天板支持枠６又は第２天板支持枠７が、
左右一対の脚柱部６１又は７１と、該脚柱部６１又は７１の中途位置で脚柱部６１又は７１間に掛け渡されて連結する横架片部６２又は７２とからなっており、
第１天板支持枠６の横架片部６２に第１連結片部１１が連結され、又は第２天板支持枠７の横架片部７２に第２連結片部１２が連結されてなることを特徴とする請求項１に記載の二段階高さ変更テーブル。